(57)【要約】【課題】アドレス設定を正確に行うことができる照明制御システムのアドレス設定方法及び照明制御システムを提供すると共に、アドレス設定待機やアドレス設定完了を設定作業者に知らせることができる照明器具を提供することにある。【解決手段】コントロールユニット１は操作器４からアドレス設定開始信号が送られてくると、アドレス設定開始信号に基づいて、アドレス設定開始コマンド信号を信号線３を介して照明器具２に送信する。各照明器具２はアドレス設定開始コマンドを受信すると、アドレス設定優先モードに移行する。【選択図】図１
2004063228.tif 000002
【特許請求の範囲】
【請求項１】
複数の照明器具と、照明器具の点灯制御及び機能設定を行うためのコマンド信号を出力する１個若しくは複数のコントロールユニットが、同一信号線上に接続され、照明器具とコントロールユニットの間で信号線を介して双方向通信が行われ、照明器具がコントロールユニットより送られてくる自アドレス宛のコマンド信号により制御される照明制御システムに用いられるアドレス設定方法において、
照明器具へ個別アドレスを割り付ける際に、コントロールユニット若しくは照明器具の少なくとも一方からアドレス設定要求コマンド信号を送信し、他方でアドレス設定要求コマンド信号が受信されると、コントロールユニット、照明器具がそれぞれアドレス設定を優先させるアドレス優先設定モードの動作に移行することを特徴とする照明制御システムのアドレス設定方法。
【請求項２】
前記アドレス設定優先モード下で、コントロールユニットがアドレス割付処理を行う特定の照明器具を認識するステップと、コントロールユニットが認識した特定の照明器具に対して、コントロールユニット内にて生成された個別アドレスを送信するステップと、コントロールユニットより送信された個別アドレスを受信した特定の照明器具が、該個別アドレスを記憶部に格納するステップと、コントロールユニットが照明器具に対して個別アドレスを割付けたことを確認するステップとが照明制御システム内の全ての照明器具に対して、個別アドレスの設定が完了するまで繰り返されることを特徴とする請求項１記載の照明制御システムのアドレス設定方法。
【請求項３】
前記アドレス設定優先モード下で、コントロールユニット及び照明器具が、アドレス設定のためのコマンド信号のみについて信号処理及び動作を行い、ランプ負荷の点灯制御を要求するコマンド信号については信号処理及び動作を行わないことを特徴とする請求項１に記載の照明制御システムのアドレス設定方法。
【請求項４】
照明器具内に備えた乱数発生手段で生成した乱数に基づいた仮アドレスを生成し、この仮アドレスを前記乱数に基づいて設定された信号送信遅れ時間に従ってコントロールユニットヘ送信し、コントロールユニットでは前記仮アドレスを受信すると、前記仮アドレスに基づいて正式な個別アドレスを生成し、当該照明器具に対して正式な個別アドレスを割り付けることを特徴とする請求項１乃至３の何れか記載の照明制御システムのアドレス設定方法。
【請求項５】
前記アドレス設定優先モード下で、コントロールユニットが個別アドレス割り付けを行う特定の照明器具を認識すると、コントロールユニット及び照明器具がアドレス設定動作を中断して、任意のアドレス番号を設定可能とするアドレス設定待機状態を設定することを特徴とする請求項１乃至４の何れか記載の照明制御システムのアドレス設定方法。
【請求項６】
操作器の操作で前記任意のアドレス番号が決定され、該決定されたアドレス番号の情報が操作器から照明器具へ光信号により送信されることにより、アドレス待機状態の照明器具への個別アドレス割り付けを行うことを特徴とする請求項５に記載の照明制御システムのアドレス設定方法。
【請求項７】
個別アドレス未設定の状態では照明器具内の点灯装置とランプ負荷との間の電路を遮断する絶縁部材を設け、アドレス設定待機時に絶縁部材が取り除かれてランプ負荷への通電の開始が検出されると当該照明器具ではアドレス設定動作を開始することを特徴とする請求項５に記載の照明制御システムのアドレス設定方法。
【請求項８】
磁性体を照明器具の表面に露出するように取り付け、アドレス設定待機時に、前記磁性体に対して別の磁性体が近づけられることにより生じる透磁率の変化を起因とする起電圧変化が検出されると当該照明器具ではアドレス設定動作を開始することを特徴とする請求項５に記載の照明制御システムのアドレス設定方法。
【請求項９】
複数の照明器具と、照明器具の点灯制御及び機能設定を行うためのコマンド信号を出力する１個若しくは複数のコントロールユニットが、同一信号線上に接続され、照明器具とコントロールユニットの間で信号線を介して双方向通信が行われ、照明器具がコントロールユニットより送られてくる自アドレス宛のコマンド信号により制御される照明制御システムにおいて、
照明器具へ個別アドレスを割り付ける際に、アドレス設定要求コマンド信号を送信する手段をコントロールユニット、照明器具の少なくとも一方に備えるとともに他方にアドレス設定要求コマンドを受信する手段を備え、一方から送信されたアドレス設定要求コマンドを他方が受信したときに、アドレス設定を優先させるアドレス優先設定モードの動作に動作モードを移行させる手段をコントロールユニット、照明器具に備えていることを特徴とする照明制御システム。
【請求項１０】
前記請求項１乃至５の照明制御システムのアドレス設定方法若しくは請求項９の照明制御システムに用いられる照明器具であって、アドレス設定待機及びアドレス設定が完了したことを視覚的に表示する表示手段と、該表示手段の動作を制御する制御手段とを備えていることを特徴とする照明器具。
【請求項１１】
前記表示手段がランプ負荷で、前記制御手段として点滅点灯あるいは調光点灯させる点灯制御手段を備えていることを特徴とする請求項１０に記載の照明器具。
【請求項１２】
前記表示手段をオートリフター装置で上、下方向に移動する灯具で構成し、制御手段としてアドレス設定待機及びアドレス設定が完了すると、当該灯具を上下動させるようにオートリフター装置を動作させる手段で構成していることを特徴とする請求項１０に記載の照明器具。
【請求項１３】
ランプ負荷として高輝度放電灯を用いるとともに、光補償光源を具備し、光補償光源を前記表示手段として用い、アドレス設定待機及びアドレス設定が完了すると光補償光源を点灯させる点灯制御手段を備えていることを特徴とする請求項１０に記載の照明器具。
【発明の詳細な説明】
【０００１】
【発明の属する技術分野】
本発明は照明器具を遠隔制御する照明制御システムのアドレス設定方法、照明制御システム、照明器具に関するものである。
【０００２】
【従来の技術】
遠隔制御システムの端末装置のアドレス設定方法として、特開平４−５０６４４３号公報に示された方法が従来提供されている。この遠隔制御システムは、図２５に示すような構成で、端末装置１００はコマンド信号の送信及び受信を行うインターフェイス部１０１と、コマンド信号の信号処理を行う制御回路１０２、乱数により暫定アドレスを生成する暫定アドレス生成回路１０３、タイマー回路１０４を含む端末制御部１０５と、端末制御部１０５から伝達されるアドレスを格納する記憶部１０６とを備え、制御装置２００は、コマンド信号の送信及び受信を行うインターフェイス部２０１と、コマンド信号の信号処理を行う制御回路２０２、端末装置１００から伝達される暫定アドレス情報を受けて、正規の個別アドレスを決定するアドレス決定回路２０３を含む制御部２０４と、制御部２０４から伝達される個別アドレスを格納する記憶部２０５とを備えている。そして制御装置２００と、端末装置１００は信号線Ｌを介して接続されている。　この遠隔制御システムにおけるアドレス設定方法は次の通りである。
【０００３】
先ず、図２６に示すように制御装置２００、端末装置１００の夫々に電源が投入（ステップＳ１）された後、端末装置１００の端末制御部１０５内の暫定アドレス生成回路１０３にて乱数を発生させて、その乱数に基づいて暫定アドレスを生成し（ステップＳ２）、端末制御部１０５内の制御回路１０２へ前記暫定アドレスが出力される。暫定アドレスが前記制御回路１０２に出力された後、タイマー回路１０４が動作開始し、制御装置２００に対して暫定アドレスを送信するための送信タイミング信号が生成される（ステップＳ３）。送信タイミング信号は、暫定アドレス値に比例した時間を基準として生成されており、この送信タイミング信号に基づいて、暫定アドレスは端末制御部１０５よりステップＳ４に示すようにインターフェイス部１０１を介して制御装置２００に送信されるとともに、該暫定アドレスを端末装置１００内の記憶部１０６に格納する（ステップＳ５）。
【０００４】
制御装置２００の制御部２０４内の制御回路２０２においては、ステップＳ６で示すようにインターフェイス部２０１を介して受信した暫定アドレスをアドレス決定回路２０３に出力する。アドレス決定回路２０３においては、入力された暫定アドレス値を受けて、この暫定アドレス値の小さい順に個別アドレスをステップＳ７で示すように決定し、前記暫定アドレスを有する端末装置１００に対して個別アドレスをステップＳ８で送信するとともに、該個別アドレスを制御装置２００内の記憶部２０５に格納する（ステップＳ１０）。また、端末装置１００においては、インターフェイス部１０１を介して個別アドレスを受信すると、正規の個別アドレスとして、端末装置１００内の記憶部１０６に伝達されて格納される（ステップＳ９）。
【０００５】
前記の従来例のアドレス設定ステップは、電源投入時に開始されるが、電源投入する度にアドレス設定の動作が自動的に行われてしまうと、遠隔制御システムの導入時に設定した所望のアドレスとは異なるアドレスが電源投入される度に設定されてしまう恐れがある。例えば保守作業のために制御システムを停電させる度にアドレス設定が変更されるとシステムの管理が非常に面倒である。
【０００６】
また乱数を用いた暫定アドレスを使用するアドレス設定方法を採用している遠隔制御システムも従来提供されている（特表平８−５０６４４３号公報参照）。
【０００７】
この遠隔制御システムは、図２７に示すような構成で、制御装置３００は、コマンド信号の信号処理、及び生成を行う制御部３０１と、被制御機器たる端末装置４００１…の暫定アドレスに関連付けされた情報を記憶する記憶部３０２とを備え、端末装置４００１…は、暫定アドレスを生成するための乱数発生器４０１と、制御装置３００から送信される検索コマンド信号と暫定アドレスの大きさを比較する比較器４０２と、暫定アドレス及び個別アドレスを記憶する記憶部４０３を備えている。これらの制御装置３００と端末装置４００１…とは信号線Ｌを介して接続されており、制御装置３００が送信するコマンド信号に応じて端末装置４００１…は動作する。
【０００８】
この遠隔制御システムにおけるアドレス設定方法は次の通りである。先ず、図２８に示すように制御装置４００１…は初期化コマンド信号を端末装置４００１…へ送信する（ステップＳ１０）。この初期化コマンド信号を端末装置４００１…が受信すると、夫々の端末装置４００１…内の乱数発生器４０１は相互に無関係な乱数を発生させて暫定アドレスを生成し（ステップＳ１１）、夫々の端末装置４００１…内の記憶部４０３に格納する。端末装置４００１…が夫々暫定アドレスを生成すると、制御装置３００は端末装置４００１…の暫定アドレス値に基づいて、遠隔制御システム内に接続されている端末装置４００１…の順位を決定するために、制御装置３００内の制御部３０１にて検索コマンド信号を生成し、端末装置４００１…に対して送信する（ステップＳ１２）。この検索コマンド信号は、先に発生された前記暫定アドレス値の取りうる範囲Ｘを図２９に示す第１の区間Ｘ１と第２の区間Ｘ２に２分する任意の検索値Ａを含んでいる。
【０００９】
端末装置４００１…は、制御装置３００より送信された検索コマンド信号を受信すると、それぞれの端末装置４００１…白身が生成した暫定アドレスを記憶部４０１より読み出して、検索コマンド信号に含まれる検索値Ａと暫定アドレス値の大きさを比較部４０２で比較する。そして、暫定アドレス値が検索値Ａよりも小さい場合には、該端末装置４００１…は応答信号を制御装置３００に送信する。ここでは、端末装置４００１で生成された暫定アドレスが最小で、端末装置４００３で生成された暫定アドレスが最大で、端末装置４００２で生成された暫定アドレスがそれらの間にあると仮定する。
【００１０】
先ず、制御装置３００は検索コマンド信号の検索値Ａを小さな数から大きな数の範囲で走査して、端末装置４００１が暫定アドレスの最小値を持つことを識別する。制御装置３００は、端末装置４００１からの応答信号を受信する（ステップＳ１３）と、前記制御装置３００は現在の検索値Ａを最小の暫定アドレスを持つ端末装置４００１と関連付ける情報を記憶部３０２へ記憶する（ステップＳ１４）。次いで、制御装置３００は端末装置４００１のみに受け付けられる特別なコマンド信号を生成し、端末装置４００１へ送信することにより、端末装置４００１をそれ以降の検索コマンド信号の送信に対して非感受的にする。
【００１１】
制御装置３００は、端末装置４００２が残りの端末装置４００１の内、最小の暫定アドレスを持つものとして応答信号を送信するまで検索コマンド信号の検索値Ａをインクリメントする動作を継続する（ステップＳ１５）。
【００１２】
更に制御装置３００は、端末装置４００２からの応答信号を受信する（ステップＳ１３）と、現在の検索値Ａを、端末装置４００２を第２の端末装置として関連付ける情報を記憶部３０２へ記憶し（ステップＳ１４）、端末装置４００２を他の検索コマンド信号の送信に対して非感受的にし、端末装置４００３が応答信号を送信するまで検索コマンド信号の検索値をインクリメントする動作を継続する（ステップＳ１５）。
【００１３】
制御装置３００は、端末装置４００３からの応答信号を受信する（ステップＳ１３）と、現在の検索値Ａを、端末装置４００３を第３の端末装置４００１として関連付ける情報を記憶部３０２へ記憶し（ステップＳ１４）、端末装置４００３を他の検索コマンド信号の送信に対して非感受的にし、残りの端末装置４００１…に対して引き続き検索コマンド信号を送信する。
【００１４】
本従来例においては、これ以上の端末装置はないので、制御装置３００がそれ以降に応答信号を受信することなく、検索値は上限値に到達するまでインクリメントされる。
【００１５】
この上限値に到達したということは、検索値Ａと端末装置４００１…を関連付ける一覧表の作成が終了したということを意味する。その後、前記制御装置３００は端末装置４００１…の探索の間に何個の端末装置４００１…（ここでは、３個）が応答したかを決定し、それらの各々のために個別アドレスを生成する（ステップＳ１６）。端末装置４００１…は関連付けられた検索値Ａの範囲に基づいて区別することが可能であるから、前記で作成された個別アドレスは制御装置３００の記憶部３０２に記憶された関連情報に基づいて端末装置４００１…へ送信され（ステップＳ１７）、夫々の端末装置４００１…の記憶部４０１へ個別アドレスとして記憶される（ステップＳ１８）。
【００１６】
前記のようなアドレス設定方法を繰り返して行うことで、複数の端末装置４００１…に自動的に個別アドレスを設定することができる。しかし、連続してアドレス設定を行うと、個々の端末装置４００１…に対してアドレス設定作業者が所望のアドレス番号を割当てることができない問題がある。
【００１７】
即ち図３０に示すように、端末装置４００１…の設置場所及び設置の並びとは関連しない任意のアドレス番号（図３０では端末装置４００１…のブロック内に記した数字）が割当てられることになり、この遠隔制御システムの管理において、例えば照明器具からなる端末装置４００１…の設置場所が分かり難くなってしまう恐れがある。また、アドレス設定を行う端末装置４００１…の台数が多い場合には、アドレス設定動作中に、端末装置４００１…がアドレス設定のためのコマンド信号とは異なる別のコマンド信号、例えば端末装置４００１…を動作させるためのコマンド信号を受信してしまい、端末装置４００１…の制御部（図示せず）が前記コマンド信号による動作のための信号処理に占有されてしまい、アドレス設定のためのコマンド信号処理が正常に行われなくなる恐れがある。
【００１８】
更に遠隔制御システムヘのアドレス設定方法として、例えば特開平３−２５２２９２号公報に示された方法も提供されている。この遠隔制御システムは、図３１に示すように制御装置５００，コントローラ６００，インターフェイスユニット７００及びインターフェイスユニット７００に接続される端末装置８００から構成され、制御装置５００は、図３２（ａ）に示すようにコマンド信号の信号処理及び生成を行う演算処理部５０１と、遠隔制御システムの設定アドレス値を記憶する記憶部５０２と、コマンド信号の送信及び受信を行う信号送受信部５０３とを備え、コントローラ６００は、図３２（ｂ）に示すようにコマンド信号の信号処理及び生成を行う演算処理部６０１と、自己に設定されたアドレス値及びインターフェイスユニット７００に設定されたアドレス値を記憶する記憶部６０２と、制御システムの動作状態、設定状態を表示する表示部６０３と、制御システムに所定の動作を行わせるための操作部６０４と、コマンド信号の送信及び受信を行う信号送受信部６０５とを備えている。インターフェイスユニット７００は、図３３に示すようにコマンド信号の信号処理及び生成を行う演算処理部７０１と、自己に設定されたアドレス値を記憶する記憶部７０２と、制御システムにより制御される端末装置８００を接続する機器接続用端子部７０３と、コマンド信号の送信及び受信を行う信号送受信部７０４とを備えている。また前記コントローラ６００及びインターフェイスユニット７００には、夫々アドレス設定開始時に傑作するアドレスリセットスイッチ６０６，７０５を具備している。
【００１９】
そして制御装置５００、コントローラ６００、インターフェイスユニット７００は信号線Ｌを介して接続されており、インターフェイスユニット７００の機器接続用端子部７０３に接続された端末装置８００をコントローラ６００により制御することができる。
【００２０】
この遠隔制御システムにおけるアドレス設定方法は次の通りである。
【００２１】
先ず、図３４に示すようにアドレスを設定するインターフェイスユニット７００のアドレスリセットスイッチ７０５を操作する（ステップＳ２０）と、アドレスリセットスイッチ７０５が操作された前記インターフェイスユニット７００内の演算処理部７０１においてアドレス設定要求信号を生成し（ステップＳ２１）、信号送受信部７０３を介して前記制御装置５００にアドレス設定要求信号を送信する（ステップＳ２２）。
【００２２】
前記アドレス設定要求信号を受信した制御装置５００は、制御装置５００内の記憶部５０２に保存されている既設定済みアドレスデータを参照し（ステップＳ２３）、既に使用されているアドレス以外のアドレスを選択し（ステップＳ２４）、該アドレスを前記インターフェイスユニット７００ヘの設定アドレスとして、アドレス設定コマンド信号を制御装置５００内の演算処理部５０１で生成し、信号送受信部５０３を介して前記インターフェイスユニット７００ヘ送信する（ステップＳ２５）。前記アドレス設定コマンド信号を、信号送受信部７０３を介して受信した前記インターフェイスユニット７００は、前記設定アドレスを記憶部７０２に記憶し（ステップＳ２６）、その後記憶部７０２に記憶されたアドレス値に基づいてアドレス設定値返信信号を生成し（ステップＳ２７）、前記アドレス設定値返信信号を信号送受信部７０３を介して制御装置５００に送信する（ステップＳ２８）。制御装置５００が信号送受信部５０３を介して前記アドレス設定値返信信号を受信すると、前記アドレス設定値返信信号のアドレス値と、先に送信したアドレス設定値とを前記制御装置５００内の演算処理部５０１にて比較し（ステップＳ２９）、アドレス値の一致を確認すると、演算処理部５０１にてアドレス設定完了信号を生成し（ステップＳ３０）、前記インターフェイスユニット７００にアドレス設定完了信号をステップＳ３１で送信するとともに、当該アドレス値を既定済みアドレスとして制御装置５００内の記憶部５０１に保存する（ステップＳ３２）。
【００２３】
しかし、前記のようなアドレス設定方法においては、アドレスを設定するインターフェイスユニット７００毎にアドレスリセットスイッチ７０５の操作を要するので、遠隔制御システムに接続されたインターフェイスユニット７００の台数が多くなると、アドレスを設定しようとする作業工数を要し、設定作業に非常に手間が掛かる。また、アドレスリセットスイッチ７０５を操作するために、インターフェイスユニット７００などの機器に直接触れる必要があり、遠隔制御システムの設置工事（例えば、天井裏に機器を設置するなど）が終った後にアドレス設定を行ったり、アドレス設定の変更を行うことは困難である。
【００２４】
【発明が解決しようとする課題】
前記のように従来のアドレス設定方法では遠隔制御システムを起動させるたびにシステムの設定が変更されてしまう恐れがあった。またアドレス設定を行う端末装置を個別に操作する必要があり、そのため設定台数が多くなると作業の負担が重くなるという問題があった。また端末装置の操作の際に機器に直接接触れるため、システム設置後のアドレス設定や変更は困難であった。
【００２５】
一方、暫定アドレスを用いたアドレス設定方法では、端末装置の設置場所とアドレス番号の関連付けができないので、アドレス番号によるシステム管理は分かり難くくなるという問題があった。
【００２６】
本発明は前記の問題点に鑑みてなされたもので、その目的とするところは、端末装置である照明器具へ個別アドレスを割り付ける際の設定移行を明らかにし、アドレス設定を正確に行うことができる照明制御システムのアドレス設定方法及び照明制御システムを提供すると共に、アドレス設定待機やアドレス設定完了を設定作業者に知らせることができる照明器具を提供することにある。
【００２７】
【課題を解決するための手段】
上述の目的を達成するために、請求項１の照明制御システムのアドレス設定方法の発明は、複数の照明器具と、照明器具の点灯制御及び機能設定を行うためのコマンド信号を出力する１個若しくは複数のコントロールユニットが、同一信号線上に接続され、照明器具とコントロールユニットの間で信号線を介して双方向通信が行われ、照明器具がコントロールユニットより送られてくる自アドレス宛のコマンド信号により制御される照明制御システムに用いられるアドレス設定方法において、
照明器具へ個別アドレスを割り付ける際に、コントロールユニット若しくは照明器具の少なくとも一方からアドレス設定要求コマンド信号を送信し、他方でアドレス設定要求コマンド信号が受信されると、コントロールユニット、照明器具がそれぞれアドレス設定を優先させるアドレス優先設定モードの動作に移行することを特徴とする。
【００２８】
請求項２の照明制御システムのアドレス設定方法の発明は、請求項１の発明において、前記アドレス設定優先モード下で、コントロールユニットがアドレス割付処理を行う特定の照明器具を認識するステップと、コントロールユニットが認識した特定の照明器具に対して、コントロールユニット内にて生成された個別アドレスを送信するステップと、コントロールユニットより送信された個別アドレスを受信した特定の照明器具が、該個別アドレスを記憶部に格納するステップと、コントロールユニットが照明器具に対して個別アドレスを割付けたことを確認するステップとが照明制御システム内の全ての照明器具に対して、個別アドレスの設定が完了するまで繰り返されることを特徴とする。
請求項３の照明制御システムのアドレス設定方法では、請求項１の発明において、前記アドレス設定優先モード下で、コントロールユニット及び照明器具が、アドレス設定のためのコマンド信号のみについて信号処理及び動作を行い、ランプ負荷の点灯制御を要求するコマンド信号については信号処理及び動作を行わないことを特徴とする。
【００２９】
請求項４の照明制御システムのアドレス設定方法の発明は、請求項１乃至３の何れかの発明において、照明器具内に備えた乱数発生手段で生成した乱数に基づいた仮アドレスを生成し、この仮アドレスを前記乱数に基づいて設定された信号送信遅れ時間に従ってコントロールユニットヘ送信し、コントロールユニットでは前記仮アドレスを受信すると、前記仮アドレスに基づいて正式な個別アドレスを生成し、当該照明器具に対して正式な個別アドレスを割り付けることを特徴とする。
【００３０】
請求項５の照明制御システムのアドレス設定方法の発明は、請求項１乃至４の何れかの発明において、前記アドレス設定優先モード下で、コントロールユニットが個別アドレス割り付けを行う特定の照明器具を認識すると、コントロールユニット及び照明器具がアドレス設定動作を中断して、任意のアドレス番号を設定可能とするアドレス設定待機状態を設定することを特徴とする。
【００３１】
請求項６の照明制御システムのアドレス設定方法の発明は、請求項５の発明において、操作器の操作で前記任意のアドレス番号が決定され、該決定されたアドレス番号の情報が操作器から照明器具へ光信号により送信されることにより、アドレス待機状態の照明器具への個別アドレス割り付けを行うことを特徴とする。
【００３２】
請求項７の照明制御システムのアドレス設定方法の発明は、請求項５の発明において、個別アドレス未設定の状態では照明器具内の点灯装置とランプ負荷との間の電路を遮断する絶縁部材を設け、アドレス設定待機時に絶縁部材が取り除かれてランプ負荷への通電の開始が検出されると当該照明器具ではアドレス設定動作を開始することを特徴とする。
【００３３】
請求項８の照明制御システムのアドレス設定方法の発明は、請求項５の発明において、磁性体を照明器具の表面に露出するように取り付け、アドレス設定待機時に、前記磁性体に対して別の磁性体が近づけられることにより生じる透磁率の変化を起因とする起電圧変化が検出されると当該照明器具ではアドレス設定動作を開始することを特徴とする。
【００３４】
請求項９の照明制御システムの発明は、複数の照明器具と、照明器具の点灯制御及び機能設定を行うためのコマンド信号を出力する１個若しくは複数のコントロールユニットが、同一信号線上に接続され、照明器具とコントロールユニットの間で信号線を介して双方向通信が行われ、照明器具がコントロールユニットより送られてくる自アドレス宛のコマンド信号により制御される照明制御システムにおいて、照明器具へ個別アドレスを割り付ける際に、アドレス設定要求コマンド信号を送信する手段をコントロールユニット、照明器具の少なくとも一方に備えるとともに他方にアドレス設定要求コマンドを受信する手段を備え、一方から送信されたアドレス設定要求コマンドを他方が受信したときに、アドレス設定を優先させるアドレス優先設定モードの動作に動作モードを移行させる手段をコントロールユニット、照明器具に備えていることを特徴とする。
【００３５】
請求項１０の照明器具の発明は、前記請求項１乃至５の照明制御システムのアドレス設定方法若しくは請求項９の照明制御システムに用いられる照明器具であって、アドレス設定待機及びアドレス設定が完了したことを視覚的に表示する表示手段と、該表示手段の動作を制御する制御手段とを備えていることを特徴とする。
【００３６】
請求項１１の照明器具の発明は、請求項１０の発明において、前記表示手段がランプ負荷で、前記制御手段として点滅点灯あるいは調光点灯させる点灯制御手段を備えていることを特徴とする。
【００３７】
請求項１２の照明器具の発明は、請求項１０の発明において、前記表示手段をオートリフター装置で上、下方向に移動する灯具で構成し、制御手段としてアドレス設定待機及びアドレス設定が完了すると、当該灯具を上下動させるようにオートリフター装置を動作させる手段で構成していることを特徴とする。
【００３８】
請求項１３の照明器具の発明は、請求項１０の発明において、ランプ負荷として高輝度放電灯を用いるとともに、光補償光源を具備し、光補償光源を前記表示手段として用い、アドレス設定待機及びアドレス設定が完了すると光補償光源を点灯させる点灯制御手段を備えていることを特徴とする。
【００３９】
【発明の実施の形態】
以下本発明を実施形態により説明する。
（実施形態１）
本実施形態は照明制御システムを構成するものであって、図１に示すように１台若しくは複数台のコントロールユニット１と、複数の照明器具２と、前記コントロールユニット１と前記照明器具２を接続する信号線３及び照明器具２とコントロールユニット１へ電源を供給するための電源線５と、コントロールユニット１に接続され、照明制御システムに対する動作を指示することができる操作器４とで構成され、コントロールユニット１と照明器具２とは信号線３を介して双方向通信を行う。尚図１では照明器具２は１台しか図示されていないが、信号線３には複数台接続されているものとする。
【００４０】
コントロールユニット１はコマンド信号の信号処理及び信号生成を行う制御部１０と、コマンド信号の送信及び受信を行う信号送受信部１１とからなり、照明器具２はコマンド信号の信号処理及び信号生成を行う制御部２０と、コマンド信号の送信及び受信を行う信号送受信部２１と自身の個別アドレスを格納する記憶部２２とランプ負荷Ｌａの点灯制御を行うための点灯装置２３とからなる。
【００４１】
操作器４は照明制御システムに対して所望の動作（ランフ点灯制御、アドレス設定など）を指示する操作スイッチ部４０と、操作スイッチ部４０の指示に基づいた信号を生成する信号生成部４１とからなる。
【００４２】
而して本実施形態の照明制御システムでは、コントロールユニット１から送信されるコマンド信号の内容に基づいて照明器具２の点灯制御や、照明器具２に対するアドレス、機能などの設定を行うことができる。
【００４３】
例えば照明器具２のランプ負荷Ｌａを点灯（又は消灯）させたい場合には、図２に示すように操作器４の前面に設けた操作スイッチ部４０のオン釦４０ａ（又はオフ釦４０ｂ）を押すと、操作スイッチ部４０の操作内容に基づいて、前記操作器４内の信号生成部４１にてランプオン信号（又はランプオフ信号）を生成し、コントロールユニット１ヘ送信される。コントロールユニット１は、前記操作器４より送信されたランプオン信号（又はランプオフ信号）を受信すると、その信号をコントロールユニット１内の制御部１０へ出力し、該制御部１０では前記ランプオン信号（又はランプオフ信号）に基づいて、ランプ点灯コマンド信号（又はランプ消灯コマンド信号）を生成する。ランプ点灯コマンド信号（又はランプ消灯コマンド信号）は信号送受信部１１を介して所定め照明器具２に送信され、前記ランプ点灯コマンド信号（又はランプ消灯コマンド信号）を信号送受信部２１を介して受信した照明器具２は、制御部１０にてランプ点灯コマンド信号（又はランプ消灯コマンド信号）の信号処理を行い、当該照明器具２内の点灯装置２３に対してランプ負荷Ｌａを点灯（又は消灯）させる指示を出力する。点灯装置２３では制御部１０の指示に従ってランプ負荷Ｌａを点灯（又は消灯）させるランプ電力制御を行う。
【００４４】
ランプ点灯コマンド信号（ランプ消灯コマンド信号）を送信する照明器具２を個別に指定する場合には、照明器具２に設定されている個別アドレスを用いる。指定された照明器具２が受信するランプ点灯コマンド信号（又はランプ消灯コマンド信号）は図３に示すように、スタートビットＳＴと、ランプ負荷Ｌａを点灯（又は消灯）させる照明器具２のアドレスＡＤと、動作指示（この場合はランプ点灯）のコマンドデータＣＴ、ストップビットＳＰとを含む形態になっている。
【００４５】
また、照明制御システムが取り付け及び配線がなされた後、照明制御システム内の各照明器具２に対して個別のアドレスを割り付ける際には、操作器４の操作スイッチ部４０のアドレス設定開始釦Ｂ１を押すと、操作スイッチ部４０の操作内容に基づいて、前記操作器４内の信号生成部４１にてアドレス設定開始信号を生成し、コントロールユニット１ヘ送信される。
【００４６】
コントロールユニット１は、前記操作器４より送信されたアドレス設定開始信号を受信すると、その信号をコントロールユニット１内の制御部１０へ出力し、前記制御部１０では前記アドレス設定開始信号に基づいて、アドレス設定開始コマンド信号を生成する。前記アドレス設定開始コマンド信号は信号送受信部１１を介して照明制御システム内の照明器具２に送信される。各照明器具２は信号送受信部２１を介して前記アドレス設定開始コマンドを受信すると、制御部１０にて信号処理を行いアドレス設定優先モードに設定する。各照明器具２がアドレス設定優先モードに移行した後、前記アドレス設定優先モードにおいて、照明制御システムでは、コントロールユニット１がアドレス割付処理を行う特定の照明器具２を認識するステップと、コントロールユニット１が認識した特定の照明器具２に対して、コントロールユニット１内にて生成された個別アドレスを送信するステップと、コントロールユニット１より送信された個別アドレスを受信した特定の照明器具２が、該個別アドレスを記憶部２２に格納するステップと、コントロールユニット１が照明器具２に対して個別アドレスを割り付けたことを確認するステップとが行われ、照明制御システム内のすべての照明器具２に対して個別アドレスが割り付けられるまで、前記の各ステップを経る処理を繰り返すことにより、各照明器具２に対してアドレス設定がなされる。
【００４７】
尚図２中４０ｃは調光レベルを設定する操作部であって、この調光レベルも前記の図３に示す形態の信号により対応するアドレスの照明器具２へ送信される。
【００４８】
照明器具２の点灯装置２３は、例えば図４に示すようにＡＣ／ＤＣ変換回路２３ａ、インバータ回路２３ｂ、負荷共振回路２３ｃで構成され、操作部４０ｃの操作によって設定された調光レベルに対応した調光信号に基づいてランプ負荷Ｌａへの電力を制御して、調光を行う調光機能を備えている。尚以下の実施形態の点灯装置２３も同様に構成されているものとする。
（実施形態２）
本実施形態は実施形態１の照明制御システムと同様に図５に示すように１台若しくは複数台のコントロールユニット１と、複数の照明器具２と、前記コントロールユニット１と前記照明器具２を接続する信号線３と、電源線（図示せず）とからなる照明制御システムであり、コントロールユニット１と照明器具２は信号線３を介して双方向通信を行う。またコントロールユニット１には、照明制御システムに対する動作を指示することのできる操作器４が接続されている。
【００４９】
コントロールユニット１は、図６に示すようにコマンド信号の信号処理及び信号生成を行う制御部１０と、コマンド信号の送信及び受信を行う信号送受信部１１と、照明器具２に割当てる個別アドレスを生成するアドレス生成回路１２と、照明器具２に割当てた個別アドレスを格納する記憶部１３と、操作器４より送信された信号を受信する操作器用インターフェイス部１４とからなる。
【００５０】
照明器具２は、図７に示すようにコマンド信号の信号処理及び信号生成を行う制御部２０と、コマンド信号の送信及び受信を行う信号送受信部２１と、自身の個別アドレスを格納する記憶部２２と、アドレス設定の際に使用する仮アドレスを生成する仮アドレス生成回路２４と、仮アドレス通知コマンド信号の送信の際の送信遅れ時間を設定するタイマー回路２５と、仮アドレス生成、送信遅れ時間設定の際に使用される乱数を生成する乱数発生回路２６と、ランプ負荷Ｌａの点灯制御を行うための点灯装置２３とからなる。
【００５１】
操作器４は、図８に示すように照明制御システムに対して所望の動作（ランプ点灯制御、アドレス設定など）を指示する操作スイッチ部４０と、操作スイッチ部４０の指示に基づいた信号を生成する信号生成部４１と、信号生成部４１で生成された信号をコントロールユニット１ヘ送信するための信号出力インターフェイス部４２とからなる。操作スイッチ部４０は図２に示すものと同様な構成で、アドレス設定を開始する際に操作するアドレス設定開始釦Ｂ１を備えている。
【００５２】
而して本実施形態の照明制御システムにおいて、信号線３に接続された各照明器具２に対して個別のアドレスを割当てる方法は以下の通りである。
【００５３】
まずアドレス設定優先モードヘの移行は、操作器４の操作スイッチ部４０に具備されているアドレス設定開始釦Ｂ１を操作すると、その操作内容に基づいて、前記操作器４内の信号生成部４１にて”アドレス設定要求信号”を生成し、信号出力インターフェイス部４２を介してコントロールユニット１ヘ送信される。
【００５４】
コントロールユニット１は操作器用インターフェイス部１４を介して、前記操作器４より送信された“アドレス設定要求信号”を受信すると、その信号をコントロールユニット１内の制御部１０へ出力し、該制御部１０では前記“アドレス設定要求信号”に基づいて、照明制御システム内の照明器具２にアドレス設定の開始を認識させるための“アドレス設定開始コマンド信号”を生成するとともに、前記コントロールユニット１自身の動作モードを「アドレス設定優先モード」に置く。
【００５５】
先に制御部１０で生成された“アドレス設定開始コマンド信号”は、制御部１０内の信号送受信部１１を介して、照明制御システム内の各照明器具２に対して送信される。
【００５６】
各照明器具２は照明器具２内の信号送受信部２１を介して”アドレス設定開始コマンド”を受信すると、制御部２０にて“アドレス設定開始コマンド信号”の信号処理を行い、制御部２０は以後アドレス設定動作が始まることを認識し、各照明器具２は自身の動作モードを「アドレス設定優先モード」に置く。
【００５７】
以上のステップを経て、図９に示すように照明制御システム全体は「アドレス設定優先モード」に置かれる。
【００５８】
尚“アドレス設定要求信号”を出力する操作器４と、その信号を受信するコントロールユニット１との接続形態については、有線での接続或いは無線での接続、いずれの場合でも接続可能である。
【００５９】
操作器４とコントロールユニット１を無線で接続する場合には、例えば、操作器４内の信号出力インターフェイス部４２に赤外線送信部を用い、コントロールユニット１の操作器用インターフェイス部１４に赤外線受光部を使用すれば実現できる。
【００６０】
また「アドレス設定優先モード」では、アドレス設定のためのコマンド信号をコントロールユニット１の制御部１０及び照明器具２内の制御部２０にて信号処理を行う動作が有効になる。また、前記コントロールユニット１の制御部１０及び前記照明器具２の制御部２０内には動作モード判別部を備えており、前記“アドレス設定開始コマンド信号”により、システムが「アドレス設定優先モード」に置かれた際に、操作器４からランプ負荷Ｌａの点灯制御を要求する信号が出力されても、コントロールユニット１は制御部１０内の動作モード判別部で点灯制御を要求する信号であることを判別し、照明器具２に送信する点灯制御のためのコマンド信号を生成しない。
【００６１】
更にまた同様の「アドレス設定優先モード」に置かれた状態で照明器具２が、信号線３を介して送信されてきたランプ負荷Ｌａの点灯制御を行うためのコマンド信号を、照明器具２内の信号送受信部２１を介して受信した場合には、制御部１０内の動作モード判別部（図示せず）がコマンド信号の内容を判別し、コマンド信号に含まれる点灯制御内容を点灯装置２３へ指示するための信号処理は行わない機能をそれぞれ備えている。
【００６２】
而して前記のように、照明制御システムヘのアドレス割り付けを行うに当たって、”アドレス設定開始コマンド信号”により「アドレス設定優先モード」へ移行するステップを設けたことで、照明制御システムが照明器具２の点灯制御を行う通常の動作状態と、照明器具２へのアドレス設定動作を優先する夫々の動作状態を明確に区別することができる。
【００６３】
従って、照明制御システムの使用者が照明器具２へのアドレス設定を行いたいときのみアドレス設定動作を有効にすることができ、アドレス設定作業、コントロールユニット１及び照明器具２内におけるアドレス設定実行動作の確実性を高めることができる。従って、照明制御システムを起動するたびにアドレス設定が変更されてしまうような問題も解決され、また、アドレス設定中に、点灯制御を要求するコマンド信号の信号処理により、アドレス設定が正確に実行できないような問題もなく、アドレス設定のためのコマンド信号を優先して確実に信号処理を行うことができる。
【００６４】
またアドレス設定を開始するにあたって、操作器４のアドレス設定開始要求に基づきコントロールユニット１で生成される”アドレス設定開始コマンド信号”によって、照明制御システムを一斉に「アドレス設定優先モード」に置くことができるので、アドレス設定を行う照明器具２毎に必要であった設定開始操作が不要になり、アドレス設定作業者の負担も軽くなる。
【００６５】
次に個別の照明器具２に対するアドレス割付けについて図９に基づいて説明する。
【００６６】
まず仮アドレスの生成のステップについて説明すると、照明制御システム内のそれぞれの照明器具２が「アドレス設定優先モード」に移行すると、それぞれの照明器具２内の制御部２０は、照明器具２内の乱数発生回路２６へ乱数を生成することを指示する。制御部２０より前記指示を受けた乱数発生回路２６では、図９のステップａで乱数を発生させて制御部２０へ出力する。この場合それぞれの照明器具２において、発生した乱数が一致する確率を低くするために、乱数発生回路２６で生成する乱数の取る得る値の範囲は、照明器具２に設定する個別アドレス値の取り得る範囲よりも大きくすることが望ましい。制御部２０は乱数発生回路２６で生成された乱数を受信すると、仮アドレス生成回路２４に前記乱数に基づいた仮アドレスを生成するよう指示する。仮アドレス生成指示を受けた仮アドレス生成回路２４では、前記乱数値に基づいて仮アドレスを生成し（図９のステップｂ）、仮アドレス値を記憶部２２へ格納する。また、制御部２０はタイマー回路２５に対して、乱数発生回路２６で生成された乱数に基づいて、信号送信遅れ時間を設定する指示を出力する。前記指示を受けたタイマー回路２５は前記乱数値に基づいた信号送信遅れ時間を設定し（図９のステップｃ）、制御部２０へ出力する。前記動作中に、操作器４より送信されたランプオン信号をコントロールユニット１が受信しても、コントロールユニット１の制御部１０内の動作モード判別部は、前記ランプオン信号がランプ負荷Ｌａの点灯制御を要求するコマンド信号であり、自ユニットは「アドレス設定優先モード」にあることを判断し、ランプ点灯コマンド信号は生成しない。
【００６７】
次に図９の仮アドレスの通知のステップについて説明する。
【００６８】
まず前記ステップｃが完了すると、照明器具２内の制御部２０は、先に生成された仮アドレス値を記憶部２２から読み出して、仮アドレス値の情報を含む“仮アドレス通知コマンド信号”を図９のステップｄで生成し、この“仮アドレス通知コマンド信号”はタイマー回路２５で乱数値に基づいて設定された送信遅れ時間（図９のｅ）を経て、信号送受信部２１を介してコントロールユニツト１ヘ送信される（図９のタイミングｔ１）。
【００６９】
次にコントロールユニット１は信号送受信部１１を介して、照明器具２より送信された“仮アドレス通知コマンド信号”を受信すると、制御部１０にて信号処理を行い、前記“仮アドレス通知コマンド信号”に基づいて、照明器具２に割り付ける正式な個別アドレスを生成する指示をアドレス生成回路１２に出力する。アドレス生成回路１２では前記指示に基づいて、個別アドレスを生成し（図９のステップｆ）、制御部１０へ出力する。制御部１０はアドレス生成回路１２で生成された正式な前記個別アドレスを受信すると、その個別アドレスを前記”仮アドレス通知コマンド信号”を送信した照明器具２側に設定するために、“個別アドレス値設定コマンド信号”を生成する（図９のステップｇ）。“個別アドレス値設定コマンド信号”には前記仮アドレス値の情報と、正式な個別アドレス値の情報が含まれており、“個別アドレス値設定コマンド信号”は信号送受信部１１を介して“仮アドレス通知コマンド信号”を送信した当該照明器具２へ送信される（図９のタイミングｔ２）。
【００７０】
そして、照明器具２が前記“個別アドレス値設定コマンド信号”を信号送受信部２１を介して受信すると、制御部２０にて信号処理を行い、“個別アドレス値設定コマンド信号”に含まれる個別アドレス値を記憶部２２に格納する（図９のステップｈ）。また制御部２０は“個別アドレス設定完了コマンド信号”を図９のステップｉで生成して信号送受信部２１を介してコントロールユニツト１ヘ送信される（図９のタイミングｔ３）
そして次のコントロールユニット１ヘの個別アドレス登録のステップでは、コントロールユニット１は前記“個別アドレス設定完了コマンド信号”を受信すると、先に送信した“個別アドレス値設定コマンド信号”に含まれる個別アドレスを記憶部２２に格納し、当該照明器具２に対するアドレス設定処理を終了する。
【００７１】
次に個別アドレス設定の繰返しの過程に説明すると、この過程では、ステップｉの終了後、信号送信遅れ時間ｅ’を経て　引き続き前記の信号処理において個別アドレスが設定された照明器具２とは別の照明器具２で、前記個別アドレス設定がなされた照明器具２において設定された信号送信遅れ時間とは異なる信号送信遅れ時間を設定して、この照明器具２から、”仮アドレス通知コマンド信号”が送信されることで、前記と同様の信号処理がコントロールユニット１及び当該照明器具２で行われる。
【００７２】
そして以後順次各照明器具２への個別アドレス設定が繰返し連続的に行われる。（ａ’〜ｉ’のステップ）
そしてコントロールユニット１が“個別アドレス設定完了コマンド信号”を受信した後、一定時間の間、照明器具２からの“個別アドレス設定完了コマンド信号”を受信しなければ（図９のステップｊ）、コントロールユニット１の制御部１０において、照明制御システム内の全ての照明器具２に対して個別アドレス設定が完了したと判断し、”アドレス設定優先モード解除コマンド信号”を生成し（図９のステップｋ）、信号送受信部１１を介して図９のタイミングｔ４で送信される。照明制御システム内の各照明器具２は信号送受信部２１を介して前記“アドレス設定優先モード解除コマンド信号”を図９のタイミングｔ５（ほぼｔ４）で受信すると、制御部２０にて信号処理を行い、自己の「アドレス設定優先モード」を解除し、通常の点灯制御を行う動作モードに復帰する。
【００７３】
以上の本実施形態で採用したアドレス設定方法においては、照明制御システムが「アドレス設定優先モード」に移行した後は、システム内のすべての照明器具２に対して自動的に連続してアドレス設定を行うことができるため、設定作業者にとってはアドレス設定作業の負担軽減となる。またアドレス設定のために、照明器具２に直接触れるような操作が不要であり、照明制御システム設置後でのアドレス設定や、設定の変更作業も容易に行うことができる。
（実施形態３）
本実施形態は、実施形態２と同様の図４に示す照明制御システムにおいて、照明制御システム内の各照明器具２へ個別アドレス割り付けを行う際に以下のように行う点で特徴がある。尚各部の回路構成は実施形態２の図６乃至図８の構成を参照する。
【００７４】
つまりアドレス設定優先モードヘの移行は、図１０に示す操作器４の操作スイッチ部４０に具備されているアドレス設定開始釦Ｂ１を操作すると、その操作内容に基づいて、前記操作器４内の信号生成部４１にて“アドレス設定要求信号”を生成し、信号出力インターフェイス部４２を介してコントロールユニット１ヘ送信される。コントロールユニット１は操作器用インターフェイス部１４を介して、前記操作器４より送信された“アドレス設定要求信号”を受信すると、その“アドレス設定要求信号”をコントロールユニット１内の制御部１０へ出力し、制御部１０では前記“アドレス設定要求信号”に基づいて、照明制御システム内の照明器具２にアドレス設定の開始を認識させるための“アドレス設定開始コマンド信号”を生成するとともに、前記コントロールユニット１自身を「アドレス設定優先モード」に置く。
【００７５】
先に制御部１０で生成された“アドレス設定開始コマンド信号”はコントロールユニット１内の信号送受信部１１を介して、照明制御システム内の各照明器具２に対して送信される。
【００７６】
各照明器具２は照明器具２内の信号送受信部２１を介して前記”アドレス設定開始コマンド信号”を受信すると、制御部２０にて“アドレス設定開始コマンド信号”の信号処理を行い、前記制御部２０は以後アドレス設定処理が始まることを認識し、各照明器具２は自身を「アドレス設定優先モード」に置く。
【００７７】
以上のステップを経て、図１１で示すように前記照明制御システム全体が「アドレス設定優先モード」に置かれる。
【００７８】
次に照明制御システム内のそれぞれの照明器具２が「アドレス設定優先モード」に移行すると、それぞれの照明器具２内の制御部２０は、照明器具２内の乱数発生回路２６へ乱数を生成することを指示する。制御部２０より前記指示を受けた乱数発生回路２６では、図１１のステップａで乱数を生成し前記制御部２０へ出力する。乱数発生回路２６については、信号線３のバス電圧を検出する機能を設けておき、照明器具２の接続場所によって生じるバス電圧のバラツキ値をもとにして乱数を生成する方法もある（特開平１１−２１４１６６号公報参照）。
【００７９】
制御部２０は乱数発生回路２６で生成された乱数を受信すると、仮アドレス生成回路２４に前記乱数に基づいた仮アドレスを生成するよう指示する。仮アドレス生成指示を受けた仮アドレス生成回路２４では、前記乱数値に基づいて仮アドレスを図１１のステップｂで生成し、そのアドレス値を制御部２０を介して記憶部２２へ格納する。また、制御部２０はタイマー回路２５に対して、乱数発生回路２６で生成された乱数に基づいて、信号送信遅れ時間を設定する指示を出力する。前記指示を受けたタイマー回路２５は前記乱数値に基づいた信号送信遅れ時間を図１１のステップｃで示すように設定し、制御部２０へ出力する。
【００８０】
次にステップｃが完了すると、照明器具２内の制御部２０は、生成された仮アドレス値を記憶部２２から読み出して、仮アドレス値の情報を含む“仮アドレス通知コマンド信号”を図１１のステップｄで生成し、“仮アドレス通知コマンド信号”はタイマー回路２５で乱数値に基づいて設定された送信遅れ時間ｅに従って、信号送受信部２１を介してコントロールユニット１ヘ送信される（図１１のタイミングｔ１）。
【００８１】
次にコントロールユニット１は信号送受信部１１を介して、照明器具２より送信された“仮アドレス通知コマンド信号”を受信すると、制御部１０にて信号処理を行い、“仮アドレス確認コマンド信号”を図１１のステップｆで生成すると共に、信号送受信部１１を介してタイミングｔ２で照明器具２に送信する。前記“仮アドレス確認コマンド信号”を受信した照明器具２は制御部２０で信号処理を行い、自己を「個別アドレス設定待機」に置くと共に、自己が仮アドレスをコントロールユニット１ヘ送信したことを視覚的に表示するために、ランプ負荷Ｌａの点滅制御指示を生成し点灯装置２３へ出力する。
【００８２】
この点滅制御指示は、設定作業者が「個別アドレス設定待機」の照明器具２を視覚的に認識するための指示であり、実施形態２で記した、「アドレス設定優先モード」においては点灯制御のためのコマンド信号の信号処理を行わない機能と矛盾するものではない。
【００８３】
前記点滅制御指示を受信した照明器具２内の点灯装置２３は、ランプ負荷Ｌａを点滅させるためのランプ負荷Ｌａの電力制御を行う。「個別アドレス設定待機」となっている照明器具２については、設定作業者が点滅動作を行っている照明器具２を確認することにより視覚的に認識することができる。
【００８４】
次に「個別アドレス設定待機」の照明器具２が設定された後、設定作業者は当該照明器具２に割り付ける所望のアドレス番号を操作器４の個別アドレス選択釦Ｂ２１，Ｂ２１を操作して表示部４３に表示されるアドレス番号をアップ／ダウンさせて決定する。所望のアドレス番号が決定された後、個別アドレス送信釦Ｂ３を操作すると、操作器４内の信号生成部４１では、前記個別アドレス値の情報を含むアドレス情報信号を生成し（図１１のステップｇ）、信号出力インターフェイス部４２を介してコントロールユニット１ヘ送信される。コントロールユニット１は前記アドレス情報信号を操作器４用インターフェイスを介して受信すると、制御部２０にて信号処理を行い、アドレス情報信号に含まれる設定作業者の所望するアドレス番号を含む“個別アドレス値設定コマンド信号”を図１１のステップｈで生成し、個別アドレス設定待機にある当該照明器具２へ信号送受信部１１を介して送信する（図１１のタイミングｔ３）。
【００８５】
次に照明器具２は“個別アドレス設定コマンド信号”を受信すると、制御部２０にて信号処理を行い、前記“個別アドレス設定コマンド信号”に含まれる個別アドレス値を記憶部２２に格納する（図１１のステップｉ）。また、制御部２０は“個別アドレス設定完了コマンド信号”を生成し（図１１のステップｊ）、信号送受信部２１を介して送信する（図１１のタイミングｔ４）。
【００８６】
コントロールユニット１は前記“個別アドレス設定完了コマンド信号”を受信すると、先に送信した“個別アドレス設定コマンド信号”に含まれる個別アドレスを記憶部１３に格納する。
【００８７】
また、制御部２０は、当該照明器具２へのアドレス設定が完了したことを視覚的に表示するために、ランプ負荷Ｌａの調光光点灯指示を生成し、点灯装置２３へ出力する。
【００８８】
点灯装置２３は前記指示を受けランプ負荷Ｌａ負荷Ｌａを調光点灯させるランプ負荷Ｌａの電力制御を行い、設定作業者に対して当該照明器具２へのアドレス設定が完了したことを視覚的に知らせる。
【００８９】
照明器具２へのアドレス設定完了を視覚的に表示する手段としては、例えば照明器具２の表面に図１２に示すように表示用光源Ｌｂを備えておき、その光源Ｌｂを点滅あるいは調光するようにしても良い。
【００９０】
また、図１３に示すように高天井用途でオートリフター装置５０を備えた照明器具２の場合は、アドレス設定を完了するとオートリフター装置５０のモーター駆動により照明器具２の灯具を矢印で示すように上下動させるようにしても良い。
【００９１】
更に図１４に示すように高輝度放電灯をランプ負荷Ｌａとして用い、光補償光源Ｌｃを具備した照明器具２については、光補償光源Ｌｃを点灯することにより、当該照明器具２へのアドレス設定完了を視覚的に表示する。
【００９２】
前記のアドレス設定作業を送信遅れ時間ｅを介して繰り返して連続して行うことで、照明制御システム内の全ての照明器具２に対して個別アドレスを設定することができる。
【００９３】
そして図１１に示すように遅れ時間ｅを経てａ’〜ｊ’のステップを繰り返すことですべての照明器具２に対して個別アドレスの設定を完了すると、操作器４のアドレス設定終了釦Ｂ４を操作する。この操作を行うと、操作器４内の信号生成部４１にて“アドレス設定終了信号”を生成し（図１１のステップｋ）、信号出力インターフェイス部４２を介してコントロールユニット１へ送信する。コントロールユニット１は操作器用インターフェイス部１４を介して、前記“アドレス設定終了信号”を受信すると、制御部２０にて“アドレス設定優先モード解除コマンド信号”を生成し（図１０のステップｌ）、信号送受信部１１を介して送信する（図１１のタイミングｔ５）。照明制御システム内の各照明器具２は信号送受信部２１を介して”アドレス設定優先モード解除コマンド信号”を受信する（図１１のタイミングｔ６）と、制御部２０にて信号処理を行い、自己の「アドレス設定優先モード」を解除し、通常の点灯制御を行う動作モードに復帰する。そして照明制御システムのアドレス設定優先モードが終了する。
【００９４】
上述した本実施形態におけるアドレス設定方法においては、仮アドレスをコントロールユニット１ヘ通知した照明器具２をアドレス設定作業者が視覚的に確認し、操作器４を用いて設定作業者が所望するアドレス番号を当該照明器具２に割り付けることができるので、照明器具２の設置場所に関連付けたアドレス番号を割当てることができ、照明制御システムの保守管理も容易になる。
【００９５】
図１５は本実施形態における各照明器具２のアドレス番号（図において照明器具２のブロック内の数字）の設定例を示す。
（実施形態４）
実施形態３において、アドレス設定待機状態にある照明器具２に対して、操作器４より設定作業者の所望の個別アドレスを割り付けるステップでは、コントロールユニット１を介さずに、操作器４より当該照明器具２に対して、個別アドレスを直接割当てる方法もある。
【００９６】
照明器具２は、図１６に示すようにコマンド信号の信号処理及び信号生成を行う制御部２０、コマンド信号の送信及び受信を行う信号送受信部２１、自身の個別アドレスを格納する記憶部２２、アドレス設定の際に使用する仮アドレスを生成する仮アドレス生成回路２４、コマンド信号送信の際の送信遅れ時間を設定するタイマー回路２５、仮アドレス生成回路２３、送信遅れ時間設定の際に使用される乱数を生成する乱数発生回路２６、ランプ負荷Ｌａの点灯制御を行うための点灯装置２３、操作器４が送信する光信号を受信するための光信号受信部２６を備えている。
【００９７】
一方これに対応して操作器４は、図１７に示すように、照明制御システムに対して所望の動作（ランプ負荷点灯制御、アドレス設定など）を指示する操作スイッチ部４０、操作スイッチ部４０で指定されたアドレス番号に従って、個別アドレスを生成するアドレス生成回路４５、操作スイッチ部４１の指示に基づいた信号を生成する信号生成部４１、信号生成部４１で生成された信号を光信号に変換し、コントロールユニット１ヘ送信するための光信号送信部４４を備え、図１８に示すように操作スイッチ部４０に具備されているアドレス設定開始釦Ｂ１の操作により、照明制御システムがアドレス設定優先モードに移行し、特定の照明器具２が個別アドレス設定待機の状態において、設定作業者は当該照明器具２に割り付ける所望のアドレス番号を操作器４の個別アドレス選択釦Ｂ２１，Ｂ２２を操作して決定する。
【００９８】
所望のアドレス番号が決定された後、個別アドレス送信釦を操作すると、操作器４内のアドレス生成回路１２では、前記アドレス番号の情報を含む“個別アドレス設定コマンド信号”を生成し、光信号送信部４４へ出力する。光信号送信部４４は“個別アドレス設定コマンド信号”を光信号として変換し、個別アドレス設定待機の状態にある照明器具２へ送信する。照明器具２へ正確に“個別アドレス設定コマンド信号”を送信するために、光信号の形態としては指向性を持つ赤外線信号あるいは、レーザー光線を用いる。
【００９９】
さて当該照明器具２は”個別アドレス設定コマンド信号”を光信号受光部２６を介して受信すると、制御部２０にて信号処理を行い、”個別アドレス設定コマンド信号”に含まれる値別アドレス値を記憶部２２に格納する。
【０１００】
また、操作器４より当該照明器具２に対して、個別アドレスを直接割当てる別の手段として、図１９に示すように照明器具２２に個別アドレス設定前にはランプ負荷Ｌａが通電されないような例えば接続ピン６１とランプホルダー６２の刃受け部６３との間に介在させる絶縁部材６０を設けておき、個別アドレスを割り付ける際に、絶縁部材６０を外して、ランプ負荷Ｌａを通電した照明器具２から順番に個別アドレスを割当てる方法もある。
【０１０１】
この構成に対して図２０に示すように照明器具２内の制御部２０にはランプ導通検出部２０ａを備え、ランプ負荷Ｌａが電気的接続されたことを検出するようにしてある。
【０１０２】
而して照明器具２が個別アドレス設定待機の状態において、前記絶縁部材６０を抜き取ると、当該照明器具２内の制御部２０のランプ導通検出部２０ａは、当該照明器具２のランプ負荷Ｌａが電気的に接続されたことを検出し、乱数発生回路２６へ乱数を生成することを指示する。制御部２０より前記指示を受けた乱数発生回路２６では、乱数を生成し前記制御部２０へ出力する。制御部２０は乱数発生回路２６で生成された乱数を受信すると、仮アドレス生成回路２４に前記乱数に基づいた仮アドレスを生成するよう指示する。仮アドレス生成指示を受けた仮アドレス生成回路２４では、前記乱数値に基づいて仮アドレスを生成し、そのアドレス値を制御部２０を介して記憶部２２へ格納する。照明器具２内の制御部２０は、先に生成された仮アドレス値を記憶部２２から読み出して、仮アドレス値の情報を含む“仮アドレス通知コマンド信号”を生成し、信号送受信部２１を介してコントロールユニット１ヘ送信される。コントロールユニット１は信号送受信部１１（図６参照）を介して、照明器具２より送信された“仮アドレス通知コマンド信号”を受信すると、コントロールユニット１内の制御部１０（図６参照）は信号処理を行い、記憶部１３（図６参照）に格納されている個別アドレスデータを参照し、未使用のアドレス番号を確認する。制御部１０は未使用のアドレス番号を把握すると、未使用アドレスのうち最小値を個別アドレス値として生成する指示をアドレス生成回路１２（図６参照）に出力する。アドレス生成回路１２は前記指示に基づいて、個別アドレスを生成し制御部１０へ出力する。制御部１０はアドレス生成回路１２で生成された前記個別アドレスを受信すると、“個別アドレス設定コマンド信号”生成し、信号送受信部１１を介して送信する。
【０１０３】
対応する照明器具２は”個別アドレス設定コマンド信号”を受信すると、制御部２０にて信号処理を行い、“個別アドレス設定コマンド信号”に含まれる個別アドレス値を記憶部２２に格納する。
【０１０４】
個別アドレス設定待機の照明器具２において、照明器具２が仮アドレスを生成するステップヘ移行される別の方法としては、図２１に示すように、照明器具２の表面に磁性体７０を露出させて取り付け、アドレス設定の際に設定作業者Ｍが棒７２の先端に取り付けた別の磁性体７１を、照明器具２に具備されている磁性体７０に近づけることにより生じる透磁率の変化によって起きる磁性体７１の起電圧変化を図２２に示すように制御部２０内に設けた起電圧変化検出部２０ｂで検出し、前記起電圧変化検出をトリガーにして、仮アドレス生成に移行させる方法もある。この方法においては、実施形態３と同様に、設定作業者Ｍが所望するアドレス番号を当該照明器具２に割り付けることができる。従って、照明器具２の設置場所に関連付けたアドレス番号を割当てることができ、照明制御システムの保守管理も容易になる。
（実施形態５）
本実施形態は、上述の各実施形態で説明したような方法により個別アドレス設定済みの照明制御システムに、図２３に示すように個別アドレス未設定の照明器具２’を新規に接続した場合のアドレス設定方法に係るもので、照明器具２、２’の回路構成、コントロールユニット１の回路構成、操作器４の回路構成は実施形態２のシステムに基本的に準ずるものとするが、本実施形態の方法は何れの実施形態の方法に適用できるものである。
【０１０５】
而して今新規の照明器具２’が信号線３に接続され、電源が投入されると、当該照明器具２’内の制御部２０は記憶部２２に個別アドレスの設定有無を問い合わせる。この問い合わせにより、制御部２０は当該照明器具２’に個別アドレスが未設定であることを認識すると、“アドレス設定要求コマンド信号”を図２４のステップａで示すように生成し、タイミングｔ１で信号送受信部２１を介して送信すると共に、当該照明器具２’自身を「アドレス設定優先モード」に置く。コントロールユニット１は当該照明器具２’より送信された“アドレス設定要求コマンド信号”を受信すると、コントロールユニット１内の制御部１０は信号処理を行い、記憶部１３に格納されている個別アドレスデータを参照し、未使用のアドレス番号を確認する（図２４のステップｂ）。制御部１０は未使用のアドレス番号を把握すると、未使用アドレスのうちのいづれか１つを個別アドレス値として生成する指示をアドレス生成回路１２に出力する。アドレス生成回路１２は前記指示に基づいて、図２３のステップｃで個別アドレスを生成し制御部１０へ出力する。制御部１０はアドレス生成回路１２で生成された前記個別アドレスを受信すると、“個別アドレス設定コマンド信号”生成し、信号送受信部１１を介して送信する（図２４のタイミングｔ２）。当該照明器具２’は前記“個別アドレス設定コマンド信号”を受信すると、制御部２０にて信号処理を行い、“個別アドレス設定コマンド信号”に含まれる個別アドレス値を記憶部２２に格納する（図２４のステップｄ）。そしてステップｅで”個別アドレス設定完了コマンド信号”を生成し、タイミングｔ３で”個別アドレス設定完了コマンド信号”を信号送受信部２１を介して送信してアドレス設定優先モードを終了する。
【０１０６】
前記のように、照明制御システム内に個別アドレス未設定の照明器具２’が新規に接続された場合には、新規に接続された照明器具２’のみ「アドレス設定優先モード」に移行させて個別アドレス設定処理を行うことができ、元々システム内にあった照明器具２の個別アドレスを変更することもなく、追加された照明器具２’へのアドレス設定も容易に行える。
【０１０７】
【発明の効果】
請求項１の照明制御システムのアドレス設定方法の発明は、複数の照明器具と、照明器具の点灯制御及び機能設定を行うためのコマンド信号を出力する１個若しくは複数のコントロールユニットが、同一信号線上に接続され、照明器具とコントロールユニットの間で信号線を介して双方向通信が行われ、照明器具がコントロールユニットより送られてくる自アドレス宛のコマンド信号により制御される照明制御システムに用いられるアドレス設定方法において、
照明器具へ個別アドレスを割り付ける際に、コントロールユニット若しくは照明器具の少なくとも一方からアドレス設定要求コマンド信号を送信し、他方でアドレス設定要求コマンド信号が受信されると、コントロールユニット、照明器具がそれぞれアドレス設定を優先させるアドレス優先設定モードの動作に移行するので、アドレス設定時には他のコマンド信号等の影響を受けることなくアドレス設定が可能となり、アドレス設定を正確に行うことができる。
【０１０８】
請求項２の照明制御システムのアドレス設定方法の発明は、請求項１の発明において、前記アドレス設定優先モード下で、コントロールユニットがアドレス割付処理を行う特定の照明器具を認識するステップと、コントロールユニットが認識した特定の照明器具に対して、コントロールユニット内にて生成された個別アドレスを送信するステップと、コントロールユニットより送信された個別アドレスを受信した特定の照明器具が、該個別アドレスを記憶部に格納するステップと、コントロールユニットが照明器具に対して個別アドレスを割付けたことを確認するステップとが照明制御システム内の全ての照明器具に対して、個別アドレスの設定が完了するまで繰り返されるもので、前記請求項１の発明の効果が得られる設定方法を提供できる。
【０１０９】
請求項３の照明制御システムのアドレス設定方法では、請求項１の発明において、前記アドレス設定優先モード下で、コントロールユニット及び照明器具が、アドレス設定のためのコマンド信号のみについて信号処理及び動作を行い、ランプ負荷の点灯制御を要求するコマンド信号については信号処理及び動作を行わないので、点灯制御を要求するコマンド信号の処理負担がなく、アドレス設定のためのコマンド処理が確実に行え、前記請求項１の発明の効果が得られる設定方法を提供できる。
【０１１０】
請求項４の照明制御システムのアドレス設定方法の発明は、請求項１乃至３の何れかの発明において、照明器具内に備えた乱数発生手段で生成した乱数に基づいた仮アドレスを生成し、この仮アドレスを前記乱数に基づいて設定された信号送信遅れ時間に従ってコントロールユニットヘ送信し、コントロールユニットでは前記仮アドレスを受信すると、前記仮アドレスに基づいて正式な個別アドレスを生成し、当該照明器具に対して正式な個別アドレスを割り付けるので、アドレス設定優先モードに移行した後、自動的にシステム内の全ての照明器具に対して自動的に連続してアドレス設定を行うことができ、設定作業者にとってはアドレス設定作業の負担軽減が図れ、またアドレス設定のために照明器具に直接触れる様な作業が不要であり、システム設置後でのアドレス設定や設定の変更作業も容易に行える。
【０１１１】
請求項５の照明制御システムのアドレス設定方法の発明は、請求項１乃至４の何れかの発明において、前記アドレス設定優先モード下で、コントロールユニットが個別アドレス割り付けを行う特定の照明器具を認識すると、コントロールユニット及び照明器具がアドレス設定動作を中断して、任意のアドレス番号を設定可能とするアドレス設定待機状態を設定するので、設定作業者が所望するアドレス番号を特定の照明器具に割り付けることができる。
【０１１２】
請求項６の照明制御システムのアドレス設定方法の発明は、請求項５の発明において、操作器の操作で前記任意のアドレス番号が決定され、該決定されたアドレス番号の情報が操作器から照明器具へ光信号により送信されることにより、アドレス待機状態の照明器具への個別アドレス割り付けを行うので、設定作業者が操作器を用いて所望するアドレス番号を特定の照明器具に直接的に割り付けることができ、例えば照明器具の設置場所に関連付けたアドレス番号を割り当てることが可能で、照明制御システムの保守管理も容易となる。
【０１１３】
請求項７の照明制御システムのアドレス設定方法の発明は、請求項５の発明において、個別アドレス未設定の状態では照明器具内の点灯装置とランプ負荷との間の電路を遮断する絶縁部材を設け、アドレス設定待機時に絶縁部材が取り除かれてランプ負荷への通電の開始が検出されると当該照明器具ではアドレス設定動作を開始するので、設定作業者がアドレス設定動作を開始させたい個々の照明器具を直接指定できる。
【０１１４】
請求項８の照明制御システムのアドレス設定方法の発明は、請求項５の発明において、磁性体を照明器具の表面に露出するように取り付け、アドレス設定待機時に、前記磁性体に対して別の磁性体が近づけられることにより生じる透磁率の変化を起因とする起電圧変化が検出されると当該照明器具ではアドレス設定動作を開始するので、設定作業者がアドレス設定動作を開始させたい個々の照明器具を直接指定できる。
【０１１５】
請求項９の照明制御システムの発明は、複数の照明器具と、照明器具の点灯制御及び機能設定を行うためのコマンド信号を出力する１個若しくは複数のコントロールユニットが、同一信号線上に接続され、照明器具とコントロールユニットの間で信号線を介して双方向通信が行われ、照明器具がコントロールユニットより送られてくる自アドレス宛のコマンド信号により制御される照明制御システムにおいて、照明器具へ個別アドレスを割り付ける際に、アドレス設定要求コマンド信号を送信する手段をコントロールユニット、照明器具の少なくとも一方に備えるとともに他方にアドレス設定要求コマンドを受信する手段を備え、一方から送信されたアドレス設定要求コマンドを他方が受信したときに、アドレス設定を優先させるアドレス優先設定モードの動作に動作モードを移行させる手段をコントロールユニット、照明器具に備えている、請求項１の発明の効果が得られる照明制御システムを提供できる。
【０１１６】
請求項１０の照明器具の発明は、前記請求項１乃至５の照明制御システムのアドレス設定方法若しくは請求項９の照明制御システムに用いられる照明器具であって、アドレス設定待機及びアドレス設定が完了したことを視覚的に表示する表示手段と、該表示手段の動作を制御する制御手段とを備えているので、設定作業者が当該照明器具のアドレス設定待機及びアドレス設定が完了したを視認できる。
【０１１７】
特に請求項１１の照明器具の発明は、請求項１０の発明において、前記表示手段がランプ負荷で、前記制御手段として点滅点灯あるいは調光点灯させる点灯制御手段を備えているので、照明器具に備わっているランプ負荷がそのまま表示手段として利用できる。
【０１１８】
また請求項１２の照明器具の発明は、請求項１０の発明において、前記表示手段をオートリフター装置で上、下方向に移動する灯具で構成し、制御手段としてアドレス設定待機及びアドレス設定が完了すると、当該灯具を上下動させるようにオートリフター装置を動作させる手段で構成しているので、オートリフター装置で上下動させる照明器具ではオートリフター装置がそのまま表示手段として利用できる。
【０１１９】
請求項１３の照明器具の発明は、請求項１０の発明において、ランプ負荷として高輝度放電灯を用いるとともに、光補償光源を具備し、光補償光源を前記表示手段として用い、アドレス設定待機及びアドレス設定が完了すると光補償光源を点灯させる点灯制御手段を備えているので、高輝度放電灯を用いる照明器具に付設される光補償光源をそのまま表示手段として利用できる。
【図面の簡単な説明】
【図１】本発明の実施形態１のシステム構成図である。
【図２】同上に用いる操作器の正面図である。
【図３】同上に用いられるランプ点灯コマンド信号のフォーマット説明図である。
【図４】同上に用いられる照明器具の点灯装置の一例を示す回路構成図である。
【図５】本発明の実施形態２のシステム構成図である。
【図６】同上に用いられるコントロールユニットの回路構成図である。
【図７】同上に用いられる照明器具の回路構成図である。
【図８】同上に用いられる操作器の回路構成図である。
【図９】同上のアドレス設定優先モード下でのコントロールユニットと照明器具の動作説明図である。
【図１０】本発明の実施形態３に用いる操作器の正面図である。
【図１１】同上のアドレス設定優先モード下でのコントロールユニットと照明器具の動作説明図である。
【図１２】同上に用いる照明器具の一例の下面図である。
【図１３】同上に用いる照明器具の別の例の側面図である。
【図１４】同上に用いる照明器具の他の例の側断面図である。
【図１５】同上における照明器具のアドレス設定例図である。
【図１６】本発明の実施形態４に用いられる照明器具の一例の回路構成図である。
【図１７】同上に用いられる操作器の回路構成図である。
【図１８】同上に用いられる操作器の正面図である。
【図１９】同上に用いられる照明器具の別の例の要部構成図である。
【図２０】同上に用いられる照明器具の別の例の回路構成図である。
【図２１】同上に用いられる照明器具の他の例の斜視図である。
【図２２】同上に用いられる照明器具の他の例の回路構成図である。
【図２３】本発明の実施形態４のシステム構成図である。
【図２４】同上の追加される照明器具へのアドレス設定の説明図である。
【図２５】従来例のシステム構成図である。
【図２６】同上の端末装置の個別アドレスの決定までのフローチャートである。
【図２７】別の従来例のシステム構成図である。
【図２８】同上の端末装置の個別アドレスの決定までのフローチャートである。
【図２９】同上に用いられる検索コマンド信号の検索値と暫定アドレスの関係説明図である。
【図３０】同上におけるアドレス設定例図である。
【図３１】他の従来例のシステム構成図である。
【図３２】（ａ）は同上に用いられる制御装置の回路構成図である。
（ｂ）は同上に用いられるコントローラの回路構成図である。
【図３３】同上に用いられる端末装置とインターフェイスの回路構成図である。
【図３４】同上のアドレス設定説明用のフローチャートである。
【符号の説明】
１　コントロールユニット
２　照明器具
３　信号線
４　操作器
１０　制御部
１１　信号送受信部
２０　制御部
２１　信号送受信部
２２　記憶部
２３　点灯装置
４０　操作スイッチ部
４１　信号生成部
Ｌａ　ランプ負荷
【図１】
2004063228.tif 000003
【図２】
2004063228.tif 000004
【図３】
2004063228.tif 000005
【図４】
2004063228.tif 000006
【図５】
2004063228.tif 000007
【図６】
2004063228.tif 000008
【図７】
2004063228.tif 000009
【図８】
2004063228.tif 000010
【図９】
2004063228.tif 000011
【図１０】
2004063228.tif 000012
【図１１】
2004063228.tif 000013
【図１２】
2004063228.tif 000014
【図１３】
2004063228.tif 000015
【図１４】
2004063228.tif 000016
【図１５】
2004063228.tif 000017
【図１６】
2004063228.tif 000018
【図１７】
2004063228.tif 000019
【図１８】
2004063228.tif 000020
【図１９】
2004063228.tif 000021
【図２０】
2004063228.tif 000022
【図２１】
2004063228.tif 000023
【図２２】
2004063228.tif 000024
【図２３】
2004063228.tif 000025
【図２４】
2004063228.tif 000026
【図２５】
2004063228.tif 000027
【図２６】
2004063228.tif 000028
【図２７】
2004063228.tif 000029
【図２８】
2004063228.tif 000030
【図２９】
2004063228.tif 000031
【図３０】
2004063228.tif 000032
【図３１】
2004063228.tif 000033
【図３２】
2004063228.tif 000034
【図３３】
2004063228.tif 000035
【図３４】
2004063228.tif 000036